【手続補正書】
【提出日】平成18年10月26日(2006.10.26)
【手続補正１】
【補正対象書類名】特許請求の範囲
【補正対象項目名】全文
【補正方法】変更
【補正の内容】
【特許請求の範囲】
【請求項１】
高速パケットデータ通信システムにおけるアクセスネットワーク（ＡＮ）のための方法において、
アクセス端末に関連したソースアクセスネットワーク(ＡＮ）を識別するメッセージを受信することであって、前記ソースＡＮが第１のパケットデータサービングノード（ＰＤＳＮ）に関連していることと、
前記メッセージに応答して前記第１のＰＤＳＮにコンタクトすることを試みることと、
前記第１のＰＤＳＮとコンタクトが取れないなら第２のＰＤＳＮとの接続を確立することと、
前記第２のＰＤＳＮとの接続の確立に応答して、前記第２のＰＤＳＮのためのアクセスネットワークＩＤ(ＡＮＩＤ）を送信することであって、前記ＡＮＩＤは、全地球的に一意的な方法で前記第２のＰＤＳＮに対応することと、
を備えた方法。
【請求項２】
前記アクセス端末から位置情報を要求することをさらに備えた、請求項１の方法。
【請求項３】
前記ソースＡＮから無線セッションを検索することを試みることをさらに備えた、請求項２の方法。
【請求項４】
前記メッセージを受信することは、ユニキャスト端末アクセス識別子（ＵＡＴＩ）メッセージを受信することを備えた、請求項１の方法。
【請求項５】
前記ＡＮＩＤは、複数のパケット制御機能(ＰＣＦ）ノードを識別し、前記ＡＮＩＤにより識別された各ＰＣＦノードは、前記第２のＰＤＳＮによりサポートされるエリア内にある、請求項１の方法。
【請求項６】
高速パケットデータ通信システムにおいてアクセス端末のハンドオフを実行する方法において、
データ通信のために第１のパケットデータサービスノード（ＰＤＳＮ）から第２のＰＤＳＮへのサービングＰＤＳＮにおける変化を検出することであって、第１の全地球的に一意の識別子は、前記第１のＰＤＳＮに対応し、第２の全地球的に一意の識別子は、前記第２のＰＤＳＮに対応することと、
前記変化を検出することに応答して、前記データ通信のために位置情報を更新することであって、前記更新は、前記第２の識別子を前記アクセス端末に送信することを備えたことと、
サービングＰＤＳＮの変化が検出されないとき前記位置情報を維持することと、
を備えた方法。
【請求項７】
高レートパケットデータ通信システムにおけるアクセス端末(ＡＴ）のための方法において、
データ通信を確立することと、
サービングパケットデータサービングノード(ＰＤＳＮ）の機能として位置情報を受信することと、
前記位置情報を更新することであって、前記位置情報は、前記サービングＰＤＳＮに対応する全地球的に一意のアクセスネットワークＩＤ（ＡＮＩＤ）を備えたことと、
を備えた方法。
【請求項８】
目標ＡＮに入力するとソースアクセスネットワーク(ＡＮ）の表示を送信することをさらに備えた、請求項７の方法。
【請求項９】
前記表示はアドレス情報を含む、請求項８の方法。
【請求項１０】
高速パケットデータ通信システムにおいて動作するように構成されたアクセスネットワーク（ＡＮ）において、
アクセス端末に関連したソースアクセスネットワーク（ＡＮ）を識別するメッセージを受信する手段であって、前記ソースＡＮは、第１のパケットデータサービングノード（ＰＤＳＮ）に関連している手段と、
前記第１のＰＤＳＮとコンタクトをとることを試みる手段と、
前記第１のＰＤＳＮとコンタクトが取れないなら、第２のＰＤＳＮとの接続を確立する手段と、
前記第２のＰＤＳＮとの接続を確立することに応答して前記第２のＰＤＳＮのためのアクセスネットワークＩＤ(ＡＮＩＤ）を送信する手段であって、前記ＡＮＩＤは、全地球的に一意な方法で前記第２のＰＤＳＮに対応する手段と、
を備えたアクセスネットワーク。
【請求項１１】
高レートパケットデータ通信システムにおいて動作するように構成されたアクセスネットワーク(ＡＮ）において、
制御プロセッサと、
前記制御プロセッサに接続されたメモリ記憶装置と、
前記制御プロセッサおよびメモリ記憶装置に接続され、第１の全地球的に一意の識別子に関連する第１のパケットデータサービングノード（ＰＤＳＮ）から第２の全地球的に一意の識別子に関連する第２のＰＤＳＮへのサービングＰＤＳＮの変化を検出すると、データ通信に関連する位置情報を更新するように適合し、位置情報を更新することは、前記データ通信に参加しているアクセス端末に前記第２の識別子を送信することを備えたアクセスネットワーク情報更新装置と、
を備えたアクセスネットワーク。
【請求項１２】
高レートパケットデータ通信システムにおけるアクセス端末(ＡＴ）において、
制御プロセッサと、
前記制御プロセッサに接続され、サービングパケットデータサービスノード（ＰＤＳＮ）に全地球的に一意の位置情報を記憶するように適合されたメモリ記憶装置であって、前記位置情報は、ＰＤＳＮの変化に応答して更新され、変化が検出されないとき無視される、メモリ記憶装置と、
を備えたアクセス端末。
【請求項１３】
第１のパケットデータサービングノード（ＰＤＳＮ）に接続された第１のアクセスネットワーク（ＡＮ）から第２のＰＤＳＮに接続された第２のＡＮへの高レートパケットデータ通信システム内のアクセス端末のハンドオフを実行するための方法において、
前記第２のＡＮにおいて、前記アクセス端末から第１のメッセージを受信することであって、前記第１のメッセージは、前記第１のＰＤＳＮの全地球的に一意の識別子を備えたことと、
前記第１のメッセージに応答して、前記第２のＰＤＳＮとの接続を確立することと、
前記接続の確立に応答して、前記第２のＡＮから第２のメッセージを前記アクセス端末に送信することであって、前記第２のメッセージは、前記第２のＰＤＳＮの全地球的に一意の識別子を備えたことと、
を備えた方法。
【請求項１４】
前記第２のＡＮは、前記第２のＰＤＳＮの全地球的に一意の識別子を連続的に通知しない、請求項１３の方法。
【請求項１５】
アクセス端末に関連するソースアクセスネットワーク（ＡＮ）を識別するメッセージを受信する手続であって、前記ソースＡＮは、第１のパケットデータサービングノード（ＰＤＳＮ）に関連する手続と、
前記第１のＰＤＳＮにコンタクトすることを試みるための手続と、
前記第１のＰＤＳＮにコンタクトできないなら第２のＰＤＳＮとの接続を確立するための手続と、
前記第２のＰＤＳＮとの接続を確立することに応答して前記第２のＰＤＳＮのためのアクセスネットワークＩＤ（ＡＮＩＤ）を送信する手続であって、前記ＡＮＩＤは全地球的に一意の方法で前記第２のＰＤＳＮに対応する手続と、
をコンピューターに実行させるためのプログラム。
【請求項１６】
データ通信を確立するための手続と、
サービングパケットデータサービングノード（ＰＤＳＮ）の関数として位置情報を受信するための手続と、
前記位置情報を更新するための手続であって、前記位置情報は、前記サービングＰＤＳＮに対応する全地球的に一意のアクセスネットワークＩＤ（ＡＮＩＤ）を備えた手続と、
をコンピューターに実行させるためのプログラム。
【請求項１７】
第２のＡＮにおいて、アクセス端末から第１のメッセージを受信するための手続と、
前記第１のメッセージに応答して、前記第２のＰＤＳＮとの接続を確立することと、
前記接続の確立に応答して、前記第２のＡＮから前記アクセス端末に第２のメッセージを送信することであって、前記第２のメッセージは、前記第２のＰＤＳＮの全地球的に一意の識別子を備えたことと、
をコンピューターに実行させるためのプログラム。
【手続補正２】
【補正対象書類名】明細書
【補正対象項目名】０００７
【補正方法】変更
【補正の内容】
【０００７】
符号分割多元接続（ＣＤＭＡ）変調技術の使用は、多数のシステムユーザーが存在する通信を促進するためのいくつかの技術のうちの１つである。時分割多元接続（ＴＤＭＡ）、周波数分割多元接続（ＦＤＭＡ）、および振幅圧伸単側波帯（ＡＣＳＳＢ）のようなＡＭ変調スキームのような他の多元接続通信システム技術は、技術的に周知である。これらの技術は異なる会社によって製造された機器間の相互動作を容易にするために標準化された。符号分割多元接続通信システムは、「デュアルモード広帯域拡散スペクトルセルラシステムのための移動局−基地局互換性標準仕様」（ＭＯＢＩＬＥ  ＳＴＡＴＩＯＮ−ＢＡＳＥ  ＳＴＡＴＩＯＮ  ＣＯＭＰＡＴＩＢＩＬＩＴＹ  ＳＴＡＮＤＡＲＤ  ＦＯＲ  ＤＵＡＬ−ＭＯＤＥＷＩＤＥＢＡＮＤ  ＳＰＲＥＡＤ  ＳＰＥＣＴＲＵＭ  ＣＥＬＬＵＬＡＲ  ＳＹＳＴＥＭＳ)とタイトルをつけられた、通信機械工業会ＴＩＡ／ＥＩＡ／ＩＳ−９５−Ｂの中で米国において標準化され、ここでは、ＩＳ−９５と呼ばれる。さらに、ＣＤＭＡ通信システムのための新しい標準仕様は、２０００年１１月付けの「ｃｄｍａ２０００拡散スペクトルシステムのための上位層（レイヤ３)シグナリング標準仕様、リリースＡ、補遺１」(Upper Layer (Layer 3) Signaling Standard for cdma 2000 Spread Spectrum Systems, Release A-Addendum 1)というタイトルが付けられた米国通信機械工業会(ＴＩＡ）において提案され、ここでは、「１ｘ」と呼ぶ。ＴＩＡにおける高速データサービスを提供するためのさらなる標準仕様は、「ｃｄｍａ２０００高速パケットデータ無線インタフェース仕様」というタイトルが付けられ、ここでは、「ＨＤＲ」または「ＩＳ−８５６」と呼ばれる。
【手続補正３】
【補正対象書類名】明細書
【補正対象項目名】００１１
【補正方法】変更
【補正の内容】
【００１１】
ＩＳ−７０７は、ＩＳ−９５無線ネットワークを介してインターネットプロトコルパケットを送信するためのサポートを提供するために使用される技術を記載する。
【手続補正４】
【補正対象書類名】明細書
【補正対象項目名】００１３
【補正方法】変更
【補正の内容】
【００１３】
パケットデータ対応の無線移動局（ＭＳ）に接続された、パーソナルまたはラップトップコンピューター（ＰＣ）のような遠隔ネットワークノードは、ＩＳ−７０７標準仕様に従って無線ネットワークを介してインターネットにアクセスするかもしれない。以下の記載の全体にわたって使用されるように、ＭＳ、アクセスノード（ＡＮ）、モバイルノード（ＭＮ）および遠隔局という用語は、それぞれ無線通信におけるモバイルの参加者に言及する。あるいは、ウェブブラウザのような遠隔ネットワークノードはＰＣをオプションにするＭＳに内蔵されるかもしれない。ＭＳは、任意の多数の種類の装置であってよく、これらに限定されないが、ＰＣカード、パーソナルデータアシスタント（ＰＤＡ）、外部または内部モデム、または無線電話または無線端末を含む。ＭＳは無線ネットワークを介してデータを送信する。この場合、データはパケットデータサービングノードにより処理される。ＭＳと無線ネットワークとの間の接続のためのＰＰＰ状態は典型的にＰＤＳＮ内で維持される。ＰＤＳＮは、インターネットのようなＩＰネットワークに接続され、無線ネットワークと他のエンティティ、およびＩＰネットワークに接続されたエージェントとの間でデータをトランスポートする。このように、ＭＳは、無線データ接続を介してＩＰネットワーク上の他のエンティティに対してデータを送受信することができる。ＩＰネットワーク上のターゲットエンティティはコレスポンデントノード(correspondent node)とも呼ばれる。
【手続補正５】
【補正対象書類名】明細書
【補正対象項目名】００１５
【補正方法】変更
【補正の内容】
【００１５】
ＰＤＳＮからＰＤＳＮまで移動するとき、接続が失われるのを防ぐために、ＭＳは、モバイルＩＰとして知られているプロトコルを使用する。インターネットエンジニアリングタスクフォース（ＩＥＴＦ）は、１９９６年１０月に発行され、技術的によく知られている「ＩＰ移動性サポート」(IP Mobility Support)というタイトルが付けられたコメントに対する要求(ＲＦＣ）２００２においてモバイルＩＰを標準化した。ｃｄｍａ２０００ネットワークにおけるモバイルのＩＰの使用は、２０００年６月の日付を有する、「無線ＩＰネットワーク標準仕様」(Wireless IP Network Standard)というタイトルが付けられたＥＩＡ／ＴＩＡ／ＩＳ−８３５で標準化された。ここでは、「ＩＳ−８３５」と呼ぶ。モバイルＩＰにおいて、ＰＤＳＮは、アドレスの独自のプールからＩＰアドレスを提供しない。代わりに、ＰＤＳＮは、ＩＰネットワークのどこかに位置するホームエージェントからのアドレスの割り当てを容易にするフォーリンエージェントの役割をする。ＭＳはＦＡを介してＨＡに通信し、ＨＡに属するアドレスプールから割り当てられたＩＰアドレスを受信する。ＭＳが、第１のＰＤＳＮから第２のＰＤＳＮまで移動すると、ＭＳは第２のＰＤＳＮおよびＦＡを介して、その既存のＩＰアドレスを再登録するために、ＨＡと通信する。
【手続補正６】
【補正対象書類名】明細書
【補正対象項目名】００１９
【補正方法】変更
【補正の内容】
【００１９】
図１Ａは、１ｘ無線アクセスネットワーク（ＲＡＮｓ)のみを用いたシステムにおけるネットワーク構成を描く。一実施形態において、パーソナルまたはラップトップコンピュータ４は、データ接続１２を介して、無線ＭＳ２に接続される。ＰＣとＭＳ２との間のデータ接続１２は、イーサネット、シリアルバスまたはユニバーサルシリアルバス（ＵＳＢ）ケーブルのような物理ケーブルを使用してもよい。あるいは、データ接続１２は、赤外線あるいは他の光学の接続のような無線接続あるいはＢｌｕｅｔｏｏｔｈまたはＩＥＥＥ８０２．１１無線ローカルエリアネットワークのような比接続であってもよい。上述したように、ＰＣは二者択一的に、単一装置を介したネットワークアクセスを可能にするためにＭＳ２に内蔵してもよい。図において、ＭＳ２は、図１においてＲＡＮ  Ａ、ＲＡＮ  ＢおよびＲＡＮ  Ｃとして示されるように、ＲＡＮ３２、ＲＡＮ３４、およびＲＡＮ３６にそれぞれ関連するサービスエリア６、８、１０の中でその物理位置を変更する。ＲＡＮ３２およびＲＡＮ３４はＰＤＳＮ１４に接続される。次に、ＰＤＳＮ1 １４はＩＰネットワーク１８に接続される。ＲＡＮ３６はＰＤＳＮ１６に接続される。次に、ＰＤＳＮ2  １６はＩＰネットワーク１８に接続される。また、ＩＰネットワーク１８を介してアクセス可能なものは、ホームエージェント２０、認証、承認およびアカウンティング(ＡＡＡＡ）サーバ２２およびコレスポンデントノード２４である。複数のさらなるＰＤＳＮｓ、ＨＡｓ、ＡＡＡサーバおよびコレスポンデントノードは、ＩＰネットワーク１８に接続してもよいが、簡単にするために省略されている。この実施形態において、ＲＡＮ  Ａ、ＲＡＮ  ＢおよびＲＡＮ  Ｃは各々「１×ＲＡＮ」として図１に同定される１×ＥＶ−ＤＯ  Ｒｅｖ．０仕様をサポートする。
【手続補正７】
【補正対象書類名】明細書
【補正対象項目名】００２０
【補正方法】変更
【補正の内容】
【００２０】
ＭＳ２がＲＡＮ、例えばＲＡＮ３２に最初に接続すると、ＭＳ２は、ＩＰネットワーク１８に接続されているいくつかのエンティティからＩＰアドレスを取得しなければならない。上述したように、簡易な実施においては、ＭＳ２は、ＰＤＳＮ１４に割り当てられたアドレスのプールからＩＰアドレスが割り当てられる。アドレスのそのプールからのＩＰアドレスを有するすべてのパケットは、ＩＰネットワーク１８によりＰＤＳＮ１４に経路選択されるので、ＰＤＳＮ１４はこれらのパケットをコレスポンデントＭＳ２に経路選択することもあり得る。しかしながら、もしＭＳ２が、ＰＤＳＮ１４に接続された任意のＲＡＮのサービスエリア外に移動するなら、ＰＤＳＮ１４はもはやパケットをＭＳ２に送ることはできないであろう。例えば、もしＭＳ２が、ＲＡＮ３２のサービスエリアからＲＡＮ３６のサービスエリアに移動するなら、ＭＳ２は、ＰＤＳＮ１６のアドレスのプールから新しいＩＰアドレスを取得しなければならないであろう。ＰＤＳＮ１４に関連する古いアドレスに送信された任意のパケットは、破棄しなければならないであろうし、古いアドレスを用いて、任意の継続中のネットワーク接続はもはや使用できないかもしれない。
【手続補正８】
【補正対象書類名】明細書
【補正対象項目名】００２４
【補正方法】変更
【補正の内容】
【００２４】
図解されるように、各モバイルノード２６０は、一方のネットワークまたはサブネットワークから他方のネットワークにその接着点を変化させるホストまたはルータである。モバイルノードはＩＰアドレスを変更せずに、位置を変更してもよく、そして、接着点に対するリンクレイヤ接続性が利用可能であるとき、そのＩＰアドレスを用いる任意のロケーションにおいて他のインターネットノードと通信し続けてもよい。各モバイルノード２６０は関連するホームエージェント２５２を有する。ホームエージェント２５２は、モバイルノード２６０がホームから離れている場合、モバイルノード２６０へ配信するためにデータグラムをトンネル(tunnel)するモバイルノードのホームネットワーク上のルータであり、モバイルノード２６０のために現在の位置情報を維持する。ホスト２５８はモバイルノード２６０に向けられてもよいデータを供給する。また、ホスト２６０は、ＦＡ２５４から情報を受信する。
【手続補正９】
【補正対象書類名】明細書
【補正対象項目名】００２８
【補正方法】変更
【補正の内容】
【００２８】
図１Ｂのシステム１００の場合、各パケットゾーン識別子（ＰＺＩＤ）内の典型的な構成３００は図１Ｄに図解される。パケットデータサービスノード（ＰＤＳＮ）３０２は、パケット制御機能（ＰＣＦ）ノード  ３０４および３１０に接続される。パケット制御機能ノード３０４、３１０は、それぞれ基地局コントローラ(ＢＳＣｓ）ＢＳＣ1  ３０６およびＢＳＣ2  ３１２に接続される。第１の通信路は、ＰＤＳＮ３０２からＰＣＦ1  ３０４およびＢＳＣ1  ３０６により定義される。この場合ＢＳＣ1  ３０６は、無線インタフェースを介してＰＺＩＤ３２０内のＭＮ３０８と通信する。モバイルノード（ＭＮ）３０８がＰＺＩＤ３３０のような別のＰＺＩＤに移ると、ＰＤＳＮ３０２、ＰＣＦ2  ３１０およびＢＳＣ2  ３１２により定義されるパケットデータ通信のために新しいパスが確立される。この場合ＢＳＣ2  ３１２は、無線インタフェースを介してＰＺＩＤ３２０内のＭＮ３０８と通信する。ＰＤＳＮ３０２からＰＣＦ1  ３０４およびＰＣＦ2  ３１０までのパス接続は、Ａ１０接続を定義する。ＰＣＦ1  ３０４からＢＳＣ1  ３０６までのパス接続およびＰＣＦ2  ３１０からＢＳＣ2  ３１２までのパス接続は、Ａ８接続を定義する。ＰＰＰ接続はＭＮ３０８とＰＤＳＮ３０２の間で確立される。ＭＮがＰＤＳＮを変更する場合、新しいＰＰＰ接続はＭＮと新しいＰＤＳＮの間で確立される。
【手続補正１０】
【補正対象書類名】明細書
【補正対象項目名】００３０
【補正方法】変更
【補正の内容】
【００３０】
図２は、モバイルＩＰ標準仕様に従ってＭＳ２へのＩＰアドレスの割り当てを描くメッセージフロー図である。最初に、ＭＳ２は、ＰＤＳＮ１４に接続されたＲＡＮへの無線リンクを起こし、ＲＡＮを介してＰＤＳＮ１４に第１メッセージ２０２を送信する。ＭＳ２が国際的な移動局同一性（ＩＭＳＩ）を有しているなら、ＭＳ２は第１メッセージ２０２にＩＭＳＩを送信する。第１メッセージ２０２は、ＲＡＮによりサポートされる無線インタフェースの種類またはＭＳ２とＲＡＮとの間の無線リンクの接続状態に応じて、いくつかの異なるタイプの１つであってよい。例えば、ＭＳ２がＲＡＮに接続されなければ、第１メッセージ２０２は始まりメッセージかもしれないし、あるいはＭＳ２がすでに無線リンク上でＲＡＮと通信しているなら、エージェント懇請メッセージかもしれない。図示された例における番号付けは、ＰＤＳＮ１４を示すけれども、第１メッセージ２０２はまた、ＰＤＳＮ１６のような他のＰＤＳＮに接続されたＲＡＮを介して送信することもあり得る。
【手続補正１１】
【補正対象書類名】明細書
【補正対象項目名】００３１
【補正方法】変更
【補正の内容】
【００３１】
第１メッセージ２０２に応答して、ＰＤＳＮ１４は、エージェント広告および認証呼掛けを含むメッセージ２０４で応答する。エージェント広告は、ＰＤＳＮ１４内のフォーリンエージェントのアドレスを識別する。認証呼掛けは、他のネットワークエンティティがＭＳ２を対象としたデータパケットを遮るために偶然にあるいは故意にネットワーク同一性を使用するのを防ぐハンドシェイクの一部である。ＭＳ２および認証、承認、およびアカウンティングサーバ２２はＩＰネットワーク１８の全体にわたって利用可能でない共有秘密情報でプログラムされる。共有秘密情報は、ＭＳ２がＨＡ２０にリクエストを要求することが許可される前に、ＡＡＡサーバ２２がＭＳ２の同一性を検証することを可能にする。ＡＡＡサーバ２２を用いた認証が失敗するなら、ＭＳ２は、ＨＡ２０からＩＰアドレスを要求することができない。一実施形態において、共有秘密は、ユーザ名とパスワードの形式をとる。
【手続補正１２】
【補正対象書類名】明細書
【補正対象項目名】００３２
【補正方法】変更
【補正の内容】
【００３２】
ＰＤＳＮ１４から受信されたメッセージ２０４において呼掛けを受信すると、ＭＳ２はその共有秘密情報を呼掛け情報と共に使用して、ＨＡ２０がＭＳ２の同一性を検証可能にする呼掛け応答を形成する。例えば、ＭＳ２は、一方向性ハッシュ関数を用いて、共有秘密情報を呼掛け情報と結合する。ＭＳ２は、呼掛け情報、呼掛け応答および登録要求を含むＰＤＳＮ１４にメッセージ２０６を返送する。次に、ＰＤＳＮ１４は、メッセージ２０８において３つの情報をＡＡＡサーバ２２に送る。共有秘密情報自体がネットワークを介して送信されないとしても、同じ一方向性ハッシュ関数を用いて、ＡＡＡサーバ２２は、ＭＳ２により使用される共有秘密情報を検証することができる。ＡＡＡのサーバ２２はいくつかのブランド(brand)あるいはタイプのうちの１つになりえる。一実施形態において、遠隔認証ダイアルインユーザサービス（ＲＡＤＩＵＳ）サーバが使用される。
【手続補正１３】
【補正対象書類名】明細書
【補正対象項目名】００３３
【補正方法】変更
【補正の内容】
【００３３】
ＭＳ２からの呼掛け応答が有効であるとＡＡＡサーバ２２が決定するなら、ＡＡＡサーバ２２は登録要求２１０をＨＡ２０に送る。ＨＡ２０は、ＨＡ２０がＭＳ２のようなモバイルネットワークエンティティに割り当てる利用可能なＩＰアドレスのプールを有する。ＨＡ２０のアドレスのプールからのあて先アドレスを有するＩＰネットワーク１８を介して送信された任意のＩＰパケットは、ＩＰネットワーク１８によりＨＡ２０に経路選択される。登録要求２１０の内容に基づいて、ＨＡ２０は、ＭＳ２により他のネットワークエンティティに送信されたパケット内のソースアドレスとして使用されるＩＰアドレスを含む登録応答２１２を形成する。ＨＡ２０はＰＤＳＮ１４内のＦＡに応答２１２を送る。ＦＡはＩＰアドレスを記録し、それをRAN−ＰＤＳＮ（Ｒ−Ｐ）セッションと関連づけて確立する。一実施形態において、ＦＡは、ＩＰアドレスに従ってインデックスが付けられたテーブル内のＲ−Ｐ情報を記憶する。ＭＳ２へのＩＰアドレスの割り当てを終えるために、ＰＤＳＮ１４はＲＡＮを介してＭＳ２にメッセージ２１４を送る。メッセージ２１４は、ＨＡ２０からの登録応答を含み、ＭＳ２に割り当てられたＩＰアドレスを含む。
【手続補正１４】
【補正対象書類名】明細書
【補正対象項目名】００３４
【補正方法】変更
【補正の内容】
【００３４】
そのＩＰアドレスが登録された後、ＭＳ２はＩＰネットワーク１８の全体にわたってＩＰパケットを送り始めてもよい。例えば、ＭＳ２は、ウェブサーバのようなコレスポンデントノード２４で通信し始めてもよい。ＭＳ２によって送られたパケットは、コレスポンデンスノード２４のあて先アドレス、およびＭＳ２に割り当てられたソースアドレスを有する。ＭＳ２によって送信されたメッセージはすべて、ＰＤＳＮ１４内のＦＡを介して経路選択される。ＦＡは発信パケットを連続してＩＰネットワーク１８に送信してもよいしまたは、ＨＡ２０にアドレスされた大きなパケット内でカプセル化してもよい。後者のアプローチが取られるなら、ＨＡ２０は、ＰＤＳＮ１４から受信したパケットを逆カプセル化して、逆カプセル化したパケットをコレスポンデントノード２４内のあて先に送る。
【手続補正１５】
【補正対象書類名】明細書
【補正対象項目名】００３６
【補正方法】変更
【補正の内容】
【００３６】
図１Ａにおいて、ＭＳ２は、ＲＡＮ３２のサービスエリアに位置しているように示されている。図１Ａにおいて、ＲＡＮｓ  ３２、３４、３６はすべて１ｘタイプの無線インタフェースを使用する。１ｘ無線インタフェースを使用するネットワークは、移動局を識別するためにＩＭＳＩｓを使用する。新しい無線リンクを確立するＭＳ２は、始まりメッセージ中のそのＩＭＳＩを送る。ＲＡＮは、ホームロケーションレジスタ（ＨＬＲ）（図示せず）を用いて呼掛けおよび呼掛け応答メッセージを交換することにより、ＩＭＳＩを認証する。ＨＬＲは、標準化され、技術に良く知られたシグナリングシステム８（ＳＳ７）無線電話ネットワークの一部である。ＩＭＳＩｓの認証は、モバイルＩＰ認証に関連して上述した一方向性ハッシュ関数に類似した技術を用いて成就される。
【手続補正１６】
【補正対象書類名】明細書
【補正対象項目名】００３７
【補正方法】変更
【補正の内容】
【００３７】
一実施形態において、図１Ａに示すように、ＭＳ２は最初に第１の１ｘＲＡＮ３２を介して接続を確立し、図２に関連して上述したようにＨＡ２０を登録する。モバイルＩＰ登録が完了した後、ＭＳ２は、ＨＡ２０のアドレスプールからのアドレスを使用し、ＰＤＳＮ１４内のＦＡ内のＰＰＰ状態を使用して、パケットを送る。１ｘシステムでは、ＰＤＳＮ１４はそのＩＭＳＩによってＭＳ２を識別する。ＲＡＮ３２のサービスエリア内において、ＭＳ２は、ＲＡＮ３２内の基地局からのオーバーヘッドメッセージブロードキャストを監視する。他のタイプの情報の中で、これらのオーバーヘッドメッセージは、ＲＡＮ３２のパケットゾーンＩＤを識別する。
【手続補正１７】
【補正対象書類名】明細書
【補正対象項目名】００３８
【補正方法】変更
【補正の内容】
【００３８】
ＭＳ２がＲＡＮ３２のサービスエリア６を離れて、ＲＡＮ３４のサービスエリア８に入ると、ＭＳ２は、ＲＡＮ３４内の基地局によりオーバーヘッドメッセージブロードキャストを復号する。ＲＡＮBオーバーヘッドメッセージは、ＲＡＮ内の基地局によりブロードキャストされるＰＺＩＤとは異なるＰＺＩＤを含む。ＭＳ２がＰＺＩＤの変化を検知すると、ＭＳ２はＲＡＮ３４に「フェークオリジネーション(fake origination)を送る。一実施形態において、始まりメッセージは、ＭＳ２のＩＭＳＩ、フィールドを送るためのデータレディ(ＤＲＳ）およびＰＲＥＶ＿ＰＺＩＤフィールドを含む。始まりは主としてルート更新目的のためであるので、ＤＲＳフィールドは０に設定されＭＳ２が送信すべきパケットデータを有していないことを示す。ＭＳ２がネットワークに送信すべき新しいパケットデータをひょっとして持っているなら、ＭＳ２は、ＤＲＳフィールドに１を有する始まりを用いて通常の呼を始めてもよい。ＰＲＥＶ＿ＰＺＩＤフィールドは、ＭＳ２が接続された前のシステムのＰＺＩＤを含んでいる。ＲＡＮ３４は始まりを受信し、ＩＭＳＩおよびＭＳ２のＰＲＥＶ＿ＰＺＩＤをサービングＰＤＳＮ、ＰＳＳＮ1  １４に送る。ＰＤＳＮ１４は、ＩＭＳＩから、ＭＳ２がＰＤＳＮ１４内の既存のＰＰＰ状態を有することを決定し、ＰＲｅＶ＿ＰＺＩＤ値から、ＭＳ２がＲＡＮ３２から来たと決定する。ＰＤＳＮ１が、オリジナルのＲＡＮ３２および宛先ＲＡＮ３４の両方に接続されるので、ＰＤＳＮは一般に宛先ＲＡＮ３４に同じＰＰＰ状態をリダイレクトすることができる。ある理由で、ＰＤＳＮ１４が同じＰＰＰ状態をあて先ＲＡＮ３４にリダイレクトすることができないなら、ＰＤＳＮ１４は、そのＰＰＰ状態をリセットし、ＭＳ２に新しいＰＰＰセッションを確立させる。
【手続補正１８】
【補正対象書類名】明細書
【補正対象項目名】００３９
【補正方法】変更
【補正の内容】
【００３９】
ＭＳ２がＲＡＮ３４のサービスエリア８を去り、ＲＡＮ３６のサービスエリア１０に入ると、ＭＳ２は、ＲＡＮ３６内の基地局によりブロードキャストされたオーバーヘッドメッセージを復号する。ＲＡＮ３６オーバーヘッドメッセージはＲＡＮ３４内の基地局によってブロードキャストされるＰＺＩＤとは異なるＰＺＩＤを含む。ＭＳ２がＰＺＩＤの変化を検知すると、ＭＳ２はＭＳ２のＩＭＳＩを含むＲＡＮ３６に「フェークオリジネーション」、０の値を有するＤＲＳフィールド、および前のＲＡＮ、ＲＡＮ３４のＰＺＩＤを識別するＰＲＥＶ＿ＰＺＩＤフィールドを送る。ＲＡＮ３６は始まりを受信し、ＩＭＳＩおよびＭＳ２のＰＲＥＶ＿ＰＺＩＤをサービングＰＤＳＮ、ＰＤＳＮ１６に送る。ＭＳ２が以前にＰＤＳＮ１６に接続されたかどうかによって、ＰＤＳＮ１６は、ＭＳ２のＩＭＳＩに関連したＰＰＰ状態を有してもよい。以前のＰＰＰ状態の存在にかかわらず、ＰＤＳＮ１６は、ＭＳ２が異なるＰＤＳＮに接続されたＲＡＮから来たことをＰＲＥＶ＿ＰＺＩＤ値から決定する。ＰＤＳＮ１６は異なるＰＤＳＮからＰＰＰ状態を検索することができず、その結果としてＭＳ  ２を用いて新しいＰＰＰセッションを確立する必要がある。ＰＤＳＮ１６がＭＳ２を用いて構築された以前のＰＰＰセッションを有していたなら、これは、ＰＤＳＮ１６がＰＰＰセッションを破棄しなければならないことを意味する。
【手続補正１９】
【補正対象書類名】明細書
【補正対象項目名】００４０
【補正方法】変更
【補正の内容】
【００４０】
新しいＰＰＰセッションがＭＳ２とＰＤＳＮ１６の間で確立された後、ＰＤＳＮ１６は、ＰＤＳＮ１６の内のＦＡのアドレスを識別するＭＳ２にエージェント広告メッセージを送る。各ＦＡのアドレスが異なるので、ＰＤＳＮ１６のＦＡアドレスはＰＤＳＮ１４のＦＡアドレスと異なるだろう。ＭＳ２が異なるアドレスを有するエージェント広告を受信すると、ＭＳは、そのＩＰアドレスをＨＡ２０に再登録しなければならないことを決定する。ＭＳ２は、例えば、図２に記述されたプロトコルに従って、そのＩＰアドレスをＨＡ２０に再登録する。上述したように、モバイルＩＰ認証を用いて、ＨＡ２０は、ＭＳ２が移動し、同じＩＰアドレスを要求していることを認識する。可能であれば、ＨＡ２０はＭＳ２に同じＩＰアドレスを割り当てて、ＰＤＳＮ１６へのそのアドレスに向けてメッセージをリダイレクトする。一般に、ＨＡ２０は、オリジナルのＰＤＳＮ、ＰＤＳＮ１４にリダイレクションの通知を送らない。
【手続補正２０】
【補正対象書類名】明細書
【補正対象項目名】００４１
【補正方法】変更
【補正の内容】
【００４１】
図３は、ＨＤＲ  ＲＡＮ  ４２、４４、４６だけを使用して、システムでのネットワークコンフィギュレーションを描く。ＭＳ  ２は、最初に、ＲＡＮ４２のサービスエリア６に位置する。図３では、ＲＡＮ  ４２、４４、４６はすべてＨＤＲタイプの無線インタフェースを使用する。ＨＤＲ無線インタフェースを使用するネットワークは、移動局を識別するためにユニキャストアクセス端末識別子（ＵＡＴＩｓ）を使用する。
【手続補正２１】
【補正対象書類名】明細書
【補正対象項目名】００４３
【補正方法】変更
【補正の内容】
【００４３】
あるＩＭＳＩサポートを供給することによって、ＨＤＲネットワークは、１ｘシステムによって使用される同じ種類のＰＤＳＮを使用することができる。一般に、厳格なＨＤＲネットワークは、任意のＩＭＳＩ認証を実行せず、ＳＳ７無線電話ネットワークに接続されていない。図示するように、ＩＰネットワーク１８は、ＡＡＡサーバー２２、ＰＤＳＮｓ１４、１６、ＨＡ２０、およびコレスポンデントノード２４と通信する。
【手続補正２２】
【補正対象書類名】明細書
【補正対象項目名】００４４
【補正方法】変更
【補正の内容】
【００４４】
ＭＳ２は、第１のＨＤＲ  ＲＡＮ、例えばＲＡＮ４２を介してＨＤＲシステムに接続し、ＲＡＮ４２からＵＡＴＩを取得する。次に、ＲＡＮ４２はパケットデータがＰＤＳＮ１４内のＦＡによって経路選択できるようにＭＳ２に一時的なＩＭＳＩを割り当てる。あるいは、ＲＡＮ４２がＩＭＳＩを認証することができるなら、ＲＡＮ４２は、ＰＤＳＮ１４とのＲ−Ｐリンクを確立する際にＭＳ２に実際のＩＭＳＩを割り当てる。ＲＡＮ４２がＩＭＳＩを認証することができるなら、ＲＡＮは、ＳＳ７ネットワーク上の認証センターを用いて、またはＡＡＡサーバ２２を用いてそうしてもよい。次に、ＭＳ２は、図２に関連して上述したＨＡ２０を登録する。モバイルのＩＰ登録が完了した後、ＭＳ２はＨＡ  ２０によって割り当てられたＩＰアドレスを使用し、ＰＤＳＮ１４内のＦＡ内のＰＰＰ状態を使用して、パケットを送る。ＲＡＮ４２のサービスエリア６内で、ＭＳ２は、ＲＡＮ４２内の基地局からブロードキャストされたオーバーヘッドメッセージを監視する。一実施形態において、オーバーヘッドメッセージは、いつＭＳ２がＲＡＮ４２の基地局と関連するサービスエリア６内に位置したかをＭＳ２に決定可能にする情報を含む。サービスエリアに関連したＲＡＮを識別することをＭＳ２に可能にするオーバーヘッドメッセージは、サブネットマスクと呼ばれる。ＭＳ２が１つのサービスエリアを離れて他のサービスエリアに入ると、オーバーヘッドチャネル上で受信したサブネットマスクは、それに応じて変化するであろう。
【手続補正２３】
【補正対象書類名】明細書
【補正対象項目名】００４５
【補正方法】変更
【補正の内容】
【００４５】
ＭＳ２がＲＡＮ４２のサービスエリア６を去り、ＲＡＮ４４のサービスエリア８に入ると、ＭＳ２はＲＡＮ４４内の基地局によってブロードキャストされたオーバーヘッドメッセージを復号する。ＭＳ２がサブネットマスク内の変化を検出すると、ＭＳ２は、ＵＡＴＩ更新メッセージをＲＡＮ４４に送る。ＵＡＴＩ更新メッセージは、ＲＡＮ４２によってＭＳ２に割り当てられたＵＡＴＩを含む。ＲＡＮ４４は、ＵＡＴＩが他のあるＲＡＮによって割り当てられたと決定し、ＵＡＴＩのための同じネットワークに接続された他のＨＤＲ  ＲＡＮｓに問い合わせを行う。上述するように、ＵＡＴＩｓ、ＰＰＰ状態情報、ＩＭＳＩｓおよび他の情報のデータベースは、無線ネットワーク内ＨＤＲ  ＲＡＮｓの中で配信される。以前に割り当てられたＵＡＴＩに基づいて、ＲＡＮ４２は、ＭＳ２に関連したテーブル情報を取得する。ＲＡＮ４２およびＲＡＮ４４の両方がＰＤＳＮ１４に接続されるので、ＲＡＮ４４はＭＳ２のＵＡＴＩに関連した一時的なＩＭＳＩを決定し、そのＩＭＳＩに関連したＭＳ２がＲＡＮ４４に移動したことをＰＤＳＮ１４に知らせる。
【手続補正２４】
【補正対象書類名】明細書
【補正対象項目名】００４６
【補正方法】変更
【補正の内容】
【００４６】
ＭＳ２がＲＡＮ４４のサービスエリア８を去り、ＲＡＮ４６のサービスエリア１０に入ると、ＭＳ２は、ＲＡＮ４６内の基地局によりブロードキャストされたオーバーヘッドメッセージを復号する。ＲＡＮ４６オーバーヘッドメッセージはＲＡＮ４４内の基地局によってブロードキャストされた異なるサブネットマスクを含む。ＭＳ２がサブネットマスク内の変化を検知すると、ＭＳ２は、ＭＳ２の以前に割り当てられたＵＡＴＩを含むＲＡＮ４６にＵＡＴＩ更新メッセージを送信する。ＲＡＮ４６はＵＡＴＩ更新メッセージを受け取り、ＰＤＳＮ１６に接続された他のＲＡＮｓに問い合わせをし、ＭＳ２が付近のＲＡＮからＵＡＴＩ割り当てを受信したかどうか決定する。ＭＳ２が、ＰＤＳＮ１４に接続されたＲＡＮ４４内のＵＡＴＩ割り当てを受信したので、ＲＡＮ４６はそれ自体にＰＰＰ状態をリダイレクトすることはできないであろう。それゆえ、ＲＡＮ４６は新しいＵＡＴＩをＭＳ２に割り当て、ＭＳ２に新しいＰＰＰセッションを確立させる。従って、ＭＳ２は、以前のＰＤＳＮ１４  ＰＰＰセッションに関連した状態情報を失うだろう。
【手続補正２５】
【補正対象書類名】明細書
【補正対象項目名】００４７
【補正方法】変更
【補正の内容】
【００４７】
新しいＰＰＰセッションがＭＳ  ２とＰＤＳＮ１６の間で設立された後、ＰＤＳＮ１６は、ＰＤＳＮ１６の内のＦＡのアドレスを識別するＭＳ２にエージェント広告メッセージを送る。各ＦＡのアドレスが異なるので、ＰＤＳＮ１６のＦＡアドレスはＰＤＳＮ１４のＦＡアドレスと異なるだろう。ＭＳ２が異なるアドレスを有するエージェント広告を受信する場合、ＭＳはそのＩＰアドレスをＨＡ２０に再登録しなければならないということを決定する。ＭＳ２は、例えば、図２に記述されたプロトコルに従ってそのＩＰアドレスをＨＡ２０に再登録する。上述したモバイルＩＰ認証を用いて、ＨＡ２０は、ＭＳ２が移動し同じＩＰアドレスを要求していることを認識する。できれば、ＨＡ２０は同じＩＰアドレスをＭＳ２に割り当てて、ＰＤＳＮ2  １６に対するそのアドレスに向けてメッセージをリダイレクトする。一般に、ＨＡ２０は、オリジナルのＰＤＳＮ、ＰＤＳＮ１４にリダイレクションの通知を送らない。
【手続補正２６】
【補正対象書類名】明細書
【補正対象項目名】００４８
【補正方法】変更
【補正の内容】
【００４８】
図４は、ＨＤＲ  ＲＡＮｓ、５２、５６および１ｘＲＡＮ５４の混合物を使用したシステムにおけるネットワーク構成を描く。ＭＳ２は、最初に、ＲＡＮ５２のサービスエリア６に位置する。混合したＨＤＲおよび１ｘシステムにおいて動作するように設計されたＭＳ２は、両方のシステムの属性を有する。例えば、ＭＳ２はメモリに記憶されたＩＭＳＩを有するが、また、ＵＡＴＩを用いてＨＤＲネットワークに接続するようにプログラムされる。
【手続補正２７】
【補正対象書類名】明細書
【補正対象項目名】００４９
【補正方法】変更
【補正の内容】
【００４９】
ＨＤＲ  ＲＡＮｓ  ５２および５６がＩＭＳＩｓの認証を実行することができるならば、ＰＤＳＮｓ１４および１６を有したＲ−Ｐリンクは、ＭＳ２の実際のＩＭＳＩを用いて確立することができる。ＩＭＳＩ認証は、ＳＳ７ネットワーク上の認証センターまたはＡＡＡサーバ２２を用いて、ＨＤＲ  ＲＡＮにより成就してもよい。一実施形態において、ＭＳ２は、ＨＤＲセッションネゴシエーションの初めでＨＤＲ  ＲＡＮにそのＩＭＳＩを送信する。次に、各ＨＤＲ  ＲＡＮ５２および５６は、ＭＳ２の真のＩＭＳＩを用いてＰＤＳＮｓ１４および１６を備えたＲ−Ｐリンクを確立することができる。１ｘＲＡＮ５４およびＨＤＲ  ＲＡＮｓ５２、５６の両方のために同じＩＭＳＩが使用されるので、ＰＤＳＮは容易にルーティングのあいまいさを解決することができるとともにＭＳ２にアドレスされた任意のパケットをミスルーティングすることを回避することができる。更に、以前の１ｘＲＡＮおよび宛先ＨＤＲ  ＲＡＮが単一のＰＤＳＮを共有するなら、例えば、ＲＡＮ５２、ＲＡＮ５４およびＰＤＳＮ１４の構成に類似した構成において、ＰＤＳＮは宛先ＲＡＮへのそのＲ−Ｐ接続を再度送り、再度既存のＰＰＰ状態を使用することができる。
【手続補正２８】
【補正対象書類名】明細書
【補正対象項目名】００５０
【補正方法】変更
【補正の内容】
【００５０】
しかしながら、ＨＤＲ  ＲＡＮｓ５２および５６がＩＭＳＩｓを認証することができなければ、ＨＤＲ  ＲＡＮｓは、ＰＤＳＮｓ１４および１６を備えたＲ−Ｐリンクに使用するために一時的なＩＭＳＩｓを作成するであろう。例えば１ｘＲＡＮからＨＤＲ  ＲＡＮ、例えばＲＡＮ５４からＲＡＮ５２への続いて起こるハンドオフは、ＰＤＳＮ１４のような共有ＰＤＳＮにおいてルーティング問題を生じることがある。一実施形態において、同じＩＰアドレスを有するが異なるＩＭＳＩｓを有する複数のＲ−Ｐセッションの作成により生じるルーティング問題は、ＰＤＳＮ動作に対する小さな変更で解決される。
【手続補正２９】
【補正対象書類名】明細書
【補正対象項目名】００５１
【補正方法】変更
【補正の内容】
【００５１】
一実施形態において、ＭＳ２はＨＤＲシステムＲＡＮ５２に接続し、ＲＡＮ５２からＵＡＴＩを取得する。次に、ＲＡＮ５２はパケットデータがＰＤＳＮ１４内のＦＡによって送ることを可能にするためにＭＳ２に一時的なＩＭＳＩを割り当てる。次に、ＭＳ２は、図２に関連して上述したようにＨＡ２０を登録する。モバイルＩＰ登録が完了した後、ＭＳ２はＨＡ２０によって割り当てられたＩＰアドレスを使用し、ＰＤＳＮ１４内のＦＡ内のＰＰＰ状態を使用して、パケットを送る。ＲＡＮ５２のサービスエリア６内でＭＳ２はＲＡＮ５２内の基地局からブロードキャストされたオーバーヘッドメッセージを監視する。
【手続補正３０】
【補正対象書類名】明細書
【補正対象項目名】００５２
【補正方法】変更
【補正の内容】
【００５２】
ＭＳ２がＲＡＮ５２のサービスエリア６を去り、ＲＡＮ５４のサービスエリアに入ると、ＭＳ２はＲＡＮ５４内の基地局によってブロードキャストされたオーバーヘッドメッセージを復号する。上述したように、ＲＡＮ５４のような１ｘＲＡＮはそのオーバーヘッドチャネル上にＰＺＩＤをブロードキャストする。したがって、ＭＳ２はＲＡＮ５２からサブネットマスクを受信し、ＲＡＮ５４からＰＺＩＤを受信する。ＲＡＮ５４から受信された異なるオーバーヘッドメッセージから、ＭＳ２は、異なるタイプの無線インタフェースを有するネットワークのサービスエリアに移動したと決定する。以下に説明するように、ＭＳ２およびＰＤＳＮ１４は、ＭＳ２に向けられたパケットがルーティングのあいまいさにより失われることを防止するために特殊な予防措置を講じなければならない。
【手続補正３１】
【補正対象書類名】明細書
【補正対象項目名】００５３
【補正方法】変更
【補正の内容】
【００５３】
ネットワークの変更に応じて、ＭＳ２は、ＲＡＮ５４にＭＳ２の実際のＩＭＳＩを含む「フェークオリジネーション」を送る。その結果、ＲＡＮ５４は、ＭＳ２の実際のＩＭＳＩに基づいてＰＤＳＮ１４との新しいＲ−Ｐ接続を確立する。ＰＤＳＮ１４が実際のＩＭＳＩに基づいてＭＳ２とＰＰＰ状態を以前に確立しなかったなら、ＰＤＳＮ１４はＭＳ２と新しいＰＰＰ状態をネゴシエートする。ＭＳ２とＰＤＳＮ１４との間に新しいＰＰＰセッションが確立された後、ＰＤＳＮ１４は、エージェント広告メッセージを、ＰＤＳＮ１４内のＦＡのアドレスを識別するＭＳ２に送信する。ＰＤＳＮが変わっていないので、エージェント広告メッセージ中で送られたＦＡアドレスはＲＡＮ５２から受信されたそれと同じになるだろう。その結果、ＭＳ２は、そのＩＰアドレスをＨＡ２０に再登録しなくてもよい。ＭＳ２がＲＡＮ５２を介してＨＡ２０からそのＩＰアドレスを得たので、ＲＡＮ５２はＭＳ２に一時的なＩＭＳＩを割り当てた。ＭＳ２によって使用されているＩＰアドレスは、ＰＤＳＮ１４内のＦＡ内の一時的ＩＭＳＩにリンクされる。そのＩＰアドレスを有するＰＤＳＮ１４に到来するすべてのネットワークパケットは、ＭＳ２がそのＩＰアドレスをＨＡ２０に再登録しないかぎり、ＲＡＮ５２に送られるだろう。
【手続補正３２】
【補正対象書類名】明細書
【補正対象項目名】００５４
【補正方法】変更
【補正の内容】
【００５４】
一実施形態において、ＭＳ２がＨＤＲ  ＲＡＮ  ５２、５６のサービスエリアから１ｘＲＡＮ５４のサービスエリアに移動するときはいつでも、モバイルＩＰ再登録を実行する。例えば、ＭＳ２がＲＡＮ５２のサービスエリア６からＲＡＮ５４のサービスエリア８に移動するなら、ＭＳ２は、たとえエージェント広告メッセージにおいて受信されたＦＡアドレスが直前に使用されたＦＡアドレスと同じであるとしても、ＨＡ２０にそのアドレスを再登録する。
【手続補正３３】
【補正対象書類名】明細書
【補正対象項目名】００５５
【補正方法】変更
【補正の内容】
【００５５】
残念ながら、ＨＡ２０に再登録することは、ルーティングのあいまいさを完全に解決したことにはならない。ＭＳ２がＲＡＮ５２を介してＨＡ２０からそのＩＰアドレスを最初に取得すると、ＰＤＳＮ１４内のフォーリンエージェントはＲ−Ｐセッションを一時的ＩＭＳＩと使用されるＩＰアドレスとの組み合わせに関連づける。ＭＳ２がＲＡＮ５４のサービスエリアに移動した後、ＭＳ２はＨＡ２０に再登録し、一般的に同じＩＰアドレスを割り当てる。残念ながら、再登録は、最初にＲＡＮ５２により割り当てられた一時的ＩＭＳＩの代わりに、ＭＳ２の実際のＩＭＳＩを使用する。従って、ＰＤＳＮ1  １４は、各々が異なるＩＭＳＩに対応する２つの異なるＲ−Ｐセッションに割り当てられた同じＩＰアドレスを結局持つことになるであろう。そのＩＰアドレスを有するＩＰネットワーク１８からパケットが到来すると、ＰＤＳＮ１４は、明らかにパケットをＲＡＮに送ることができないであろう。
【手続補正３４】
【補正対象書類名】明細書
【補正対象項目名】００５７
【補正方法】変更
【補正の内容】
【００５７】
ＭＳ２がＨＤＲシステムから１ｘシステムに移動する場合に加えて、ＭＳ２が１ｘシステムからＨＤＲシステムに移動するときルーティングのあいまいさを回避するために特別の措置を講じなければならない。ＭＳ２がＲＡＮ５６のようなＨＤＲ  ＲＡＮを介して接続を確立し、次に、ＲＡＮ５４のような１ｘＲＡＮに移動し、異なるＰＤＳＮによりサービスされ、ＲＡＮ５４にいる間にそのＩＰアドレスをＨＡ２０に再登録し、次にＲＡＮ５６に戻るとき、その問題は、特に深刻かもしれない。現在提案されたＨＤＲ基準では、ＭＳ２が、異なる無線インタフェースを使用するシステムから丁度来たまたは他のシステムにおいてそのＩＰアドレスを再登録したということをＭＳ２がＲＡＮ５６に通知する方法はない。フェークオリジネーションのＰＲＥＶ＿ＰＺＩＤは、ＭＳ２が異なるＰＤＳＮを介して再登録することをＰＤＳＮが決定することを可能にするので、１ｘＲＡＮから１ｘＲＡＮに移動するとき、これは問題ではない。これは、ＨＤＲ  ＲＡＮからＨＤＲ  ＲＡＮに移動するときも問題ではない。なぜならば、ＵＡＴＩ要求内のＵＡＴＩは、ＭＳ２が異なるＰＤＳＮを介して再登録したかどうかをあて先ＰＤＳＮが決定することを可能にするからである。
【手続補正３５】
【補正対象書類名】明細書
【補正対象項目名】００５８
【補正方法】変更
【補正の内容】
【００５８】
ＭＳ２が１ｘＲＡＮ５４からＨＤＲ  ＲＡＮ５６のサービスエリア１０に再び入ると、ＭＳ２は、以前にＨＤＲ  ＲＡＮ５６のサービスエリア１０内にいる時ＭＳ２によって使用されるＵＡＴＩを含むＵＡＴＩ要求を送る。現在提案されているプロトコルを用いて、介在する１ｘシステムにおいてその再登録をＨＤＲＲＡＮC５６に通知するための方法をＭＳ２は有していない。従って、ＲＡＮ５６は、ＭＳ２によって以前に使用されたＵＡＴＩに関連したＰＤＳＮ１６内の既存のＰＰＰ状態を用いた、ネットワーク通信を再開するだろう。
【手続補正３６】
【補正対象書類名】明細書
【補正対象項目名】００６８
【補正方法】変更
【補正の内容】
【００６８】
ＩＳ−８５６標準仕様をサポートする無線通信システムにおいて、および２００２年１月の日付を有する、ＴＩＡ／ＥＩＡ／ＩＳ−８５６−１として識別される、「ｃｄｍａ２０００高速パケットデータ無線インタフェース仕様」(cdma 2000 High Rate Packet Dataw Air Interface Specification)というタイトルの暫定基準、以下「ＨＲＰＤ基準」と呼ぶ、において、パケットデータ交換ネットワーク（典型的には、インターネット)とアクセス端末との間のデータ接続性を提供するネットワーク機器として定義される。アクセスネットワークはおおよそ基地局に等しい。アクセス端末は、ユーザへのデータ接続性を提供する装置として定義される。アクセス端末は、ラップトップパソコンのようなコンピューティング装置に接続してもよい。あるいは、それは、携帯情報端末のような内蔵型のデータ装置であってもよい。アクセス端末は、移動局とほぼ同等物である。
【手続補正３７】
【補正対象書類名】明細書
【補正対象項目名】００７３
【補正方法】変更
【補正の内容】
【００７３】
ＡＮが以前のサービングＰＤＳＮにＡＮが到達することができないとき、新しいデータセッション（例えば、ＰＰＰ）が開始される。ＰＣＦにおける処理を図解するフローチャートは、図６で提供される。図解されるように、ＡＴはステップ６０２で目標ＢＳＣ／ＰＣＦのゾーンに入る。ＡＴは、ステップ６０４において、ソースＢＳＣ／ＰＣＦ、すなわち、以前のＢＳＣ／ＰＣＦの識別子を送信する。決定ダイヤモンド６０６において、目標ＢＳＣ／ＰＣＦ、すなわち、新しいＢＳＣ／ＰＣＦは、ソースＢＳＣ／ＰＣＦから無線セッションを検索することを試みる。無線セッションを検索することが可能であり、目標ＰＣＦがサービングＰＤＳＮと通信することが可能なら（決定ダイアモンド６０８）、目標ＢＳＣ／ＰＣＦはサービングＰＤＳＮ６１０と連絡をとる。さもなければ、目標ＢＳＣ／ＰＣＦが無線セッションを検索できなければ、ＢＳＣ／ＰＣＦはステップ６１２において新しい無線セッションを確立する。
【手続補正３８】
【補正対象書類名】明細書
【補正対象項目名】００７４
【補正方法】変更
【補正の内容】
【００７４】
処理はステップ６１４に続き、ＡＴＡからＡＮＩＤを要求する。目標ＢＳＣ／ＰＣＦが見つけることができるなら、サービングＰＤＳＮはステップ６１６に続く。さもなければ、ＰＣＦはステップ６１８および６２０において、新しいサービングＰＤＳＮを決定する。次に、ステップ６２２において、位置情報は、ＡＴに供給される。
【手続補正３９】
【補正対象書類名】明細書
【補正対象項目名】００８１
【補正方法】変更
【補正の内容】
【００８１】
一実施形態において、ローカルインタフェース８１２は制御プロセッサ８０４にアプリケーションデータを供給する。制御プロセッサ８０４は、汎用マイクロプロセッサ、デジタルシグナルプロセッサ（ＤＳＰ）、プログラマブルロジック装置、特定用途向け集積回路(ＡＳＩＣ）またはここに記載した機能を実行することができる任意の他の装置であってよい。ハンドセットユーザー入力インタフェースおよびハンドセットディスプレイはキーパッド、携帯型のＰＤＡｓ上で一般に使用されるもののような液晶ディスプレイペン入力インタフェースあるいは無線パケットデータユーザーアプリケーションに適切な他の入力インタフェースを含んでいてもよい。
【手続補正４０】
【補正対象書類名】明細書
【補正対象項目名】００８９
【補正方法】変更
【補正の内容】
【００８９】
ここに開示された実施の形態に関連して記載された種々の実例となる論理ブロック、モジュール、および回路は、汎用プロセッサ、デジタルシグナルプロセッサ、特定用途向け集積回路、フィールドプログラマブルゲートアレイ（ＦＰＧＡ）または他のプログラマブル論理装置、ディスクリートゲートまたはトランジスタロジック、ディスクリートハードウエアコンポーネント、またはここに記載した機能を実行するように設計されたいずれかの組合せを用いて実施または実行してもよい。汎用プロセッサは、マイクロプロセッサであってよいが、別の方法では、プロセッサは、いずれかの一般的なプロセッサ、コントローラ、マイクロコントローラ、またはステートマシンであってよい。プロセッサはまた、計算装置の組合せとしても実施できる。例えば、ＤＳＰとマイクロプロセッサの組合せ、複数のマイクロプロセッサ、ＤＳＰコアと協力した１つ以上のマイクロプロセッサまたはいずれかの他のそのような構成として実施してもよい。